(57)【要約】【課題】原稿の斜め給紙による原稿の破損やコピー用紙の無駄をなくすことなどのできる画像形成装置を提供すること。【解決手段】この複写機は、装置本体１の上部前側に設けられ、長尺の筒状体Ｐ１１に巻きつけられた原稿Ｐ１を給紙可能な原稿給紙台３と、前記原稿給紙台３上を移動可能に設けられ、前記原稿Ｐ１の幅方向の両側位置をカーソル５２，５２で規制する左右１対のカーソル部材５，５とを備え、前記カーソル部材５，５に、前記筒状体Ｐ１１の両側から突起部５４，５４を挿入して該筒状体Ｐ１１を支持する支持部材を一体的に形成してなっている。【選択図】図３
2007091414.tif 000002
【特許請求の範囲】
【請求項１】
装置本体の上部前側に設けられ、長尺の筒状体に巻きつけられた原稿を給紙可能な原稿給紙台と、前記原稿給紙台上を移動可能に設けられ、前記原稿の幅方向の両側位置を規制板で規制する左右１対のカーソル部材とを備えた画像形成装置であって、
前記カーソル部材に、前記筒状体の両側から突起部を挿入して該筒状体を支持する支持部材を一体的に形成したことを特徴とする画像形成装置。
【請求項２】
前記支持部材は、前記カーソル部材の規制板を前記原稿給紙台の前方で垂下させた垂下板を有し、この垂下板に前記突起部が設けられていることを特徴とする請求項１記載の画像形成装置。
【請求項３】
前記垂下板の上部に対してその下部が外側にスイング可能に取り付けられ、この下部に前記突起部が取り付けられていることを特徴とする請求項２記載の画像形成装置。
【請求項４】
前記垂下板に、前記突起部が出没可能に取り付けられていることを特徴とする請求項２記載の画像形成装置。
【発明の詳細な説明】
【技術分野】
【０００１】
本発明は、プリンタ、複写機、ファクシミリ装置、それらの機能を併せ持つ複合機などの画像形成装置に関する。
【背景技術】
【０００２】
例えばＡ０サイズやＡ１サイズなどの長尺の原稿を画像記録の対象とする静電写真式複写機にあっては、画像読取装置を移動させると、装置が大型化することから、画像読取装置を固定した状態で、原稿を移動させる形態がとられている。
【０００３】
かかる形態の複写機では、ロール状の原稿を扱うことが多く、その場合には、原稿を装置本体の上部前面に取り付けられた左右１対の原稿受け具で受けるとともに、その原稿を原稿挿入口に挿入するときには、原稿の先端部分の両側のみをカーソルに合わせて挿入していた（例えば特許文献１参照）。
【特許文献１】特許第３４３６６０２号公報
【発明の開示】
【発明が解決しようとする課題】
【０００４】
上記特許文献１の場合は、長尺ものの原稿の下側を左右１対の原稿受け具で受けた状態で、その原稿の先端部分のみをカーソルに合わせて原稿挿入部に挿入するため、まっすぐに挿入しがたく、斜め給紙となりやすかった。そして、この原稿の斜め給紙による原稿の破損やコピー用紙の無駄といった問題があった。また、幅の狭い原稿にも対応するため原稿受け具が原稿挿入部の中央部に一対固定配置されているので、原稿幅が使用可能な最大サイズの場合は、原稿受け具に積み置きした原稿が、原稿挿入時にバランスを崩して最悪落下するおそれがあるという問題もあった。
【０００５】
本発明は、このような事情に鑑みてなされたもので、原稿の斜め給紙による原稿の破損やコピー用紙の無駄をなくすことなどのできる画像形成装置を提供することを目的とする。
【課題を解決するための手段】
【０００６】
本発明は、装置本体の上部前側に設けられ、長尺の筒状体に巻きつけられた原稿を給紙可能な原稿給紙台と、前記原稿給紙台上を移動可能に設けられ、前記原稿の幅方向の両側位置を規制板で規制する左右１対のカーソル部材とを備えた画像形成装置であって、前記カーソル部材に、前記筒状体の両側から突起部を挿入して該筒状体を支持する支持部材を一体的に形成したことを特徴とするものである。
【０００７】
請求項２記載の発明のように、前記支持部材は、前記カーソル部材の規制板を前記原稿給紙台の前方で垂下させた垂下板を有し、この垂下板に前記突起部が設けられていることとしてもよい。
【０００８】
ところで、同サイズの原稿を給紙したい場合があり、そのような場合に原稿をセットする都度、カーソル部材を移動させるのは不便である。そこで請求項３記載の発明のように、前記垂下板の上部に対してその下部が外側にスイング可能に取り付けられ、この下部に前記突起部が取り付けられていることとしてもよい。
【０００９】
或いは請求項４記載の発明のように、前記垂下板に、前記突起部が出没可能に取り付けられていることとしてもよい。
【発明の効果】
【００１０】
本発明によれば、前記カーソル部材に、前記筒状体の両側から突起部を挿入して該筒状体を支持する支持部材が一体的に形成されているので、長尺ものの原稿のロール中心を押さえた状態でその先端部分をカーソルに合わせて原稿挿入口にまっすぐに挿入することができる。このため、斜め給紙がなくなり、この原稿の斜め給紙による原稿の破損やコピー用紙の無駄といった問題が解消できる。また、カーソル部材と支持部材とが一体化されているので、それらが個別に装置本体に設けられている場合よりも利便性に優れる。
【００１１】
請求項２記載の発明によれば、前記支持部材は、前記カーソル部材の規制板を前記原稿給紙台の前方で垂下させた垂下板を有し、この垂下板に前記突起部が設けられているので、簡単な構成となる。
【００１２】
請求項３記載の発明によれば、前記垂下板の上部に対してその下部が外側にスイング可能に取り付けられ、この下部に前記突起部が取り付けられているので、ロール状の原稿を容易にセットできる。
【００１３】
請求項４記載の発明のように、前記垂下板に、前記突起部が出没可能に取り付けられているので、この場合もロール状の原稿を容易にセットできる。
【発明を実施するための最良の形態】
【００１４】
（実施形態１）
図１は本発明の実施形態１に係る複写機の外観構成を示す斜視図である。以下では画像形成装置の一例としての複写機について説明する。図１において、１は左右に脚部２，２を備えた装置本体で、その上部には前側に張り出される状態で厚板状の原稿給紙台３が設けられている。また、原稿給紙台３上には、原稿Ｐ１の幅方向の両側位置を規制するカーソル（規制板）５２，５２を備えたカーソル部材５，５が移動可能に設けられている（図３参照）。
【００１５】
図２はこの複写機の内部構成を示す模式図であって、この複写機は、装置本体１内に配置される画像形成部１００、原稿給送部２００、原稿読取部３００、給紙部４００及び操作表示部５００（図１参照）から構成されている。
【００１６】
画像形成部１００は、給紙部４００から搬送されてきた用紙（記録紙）Ｐ２に対して所定の画像を形成（印刷）するものであって、装置本体１の左右側板間に感光体ドラム８を横設しており、この感光体ドラム８のまわりに、帯電部９、露光部１０、現像部１１、転写部１２、分離部１３及びクリーニング部１４を順に配置している。
【００１７】
帯電部９は、感光体ドラム８の表面を所定電位に均一に帯電させるものである。露光部１０は、原稿読取部３００から送信されてきた下記画像データに基づき、感光体ドラム８の表面を露光し、感光体ドラム８表面に静電潜像を形成するものである。現像部１１は、静電潜像にトナーを付着させて画像（原稿画像）を顕在化させるものである。転写部１２は、搬送されてきた用紙Ｐ２に、感光体ドラム８上に顕在化したトナー像を転写するものである。分離部１３は転写後の用紙Ｐ２を感光体ドラム８から分離するものである。クリーニング部１４は、感光体ドラム８の表面に残留しているトナーを清掃するものである。
【００１８】
原稿読取部３００は、原稿挿入口７から挿入されてきた原稿Ｐ１の読み取りを行って当該原稿Ｐ１に対応する画像データを生成するものである。原稿読取部３００は、光学的に取得した原稿Ｐ１の画像から画像データを生成するＣＣＤ（Charge Coupled Device）センサなどからなり、その上面に、原稿読み取り用のコンタクトガラス１５を備えている。
【００１９】
原稿給送部２００は、原稿読取部３００に対して原稿Ｐ１を図２の右側から左側へ給送する（原稿Ｐ１を排出するときは、それを手前側に排出するため逆行することも可能である。）ものであって、前記原稿読取部３００を挟んでその前後に搬送ローラ１８，１９を設ける一方、原稿搬送路を形成する状態で、装置本体１の上部に搬送ケース２０を設けるとともに、この搬送ケース２０に、前記搬送ローラ１８，１９とによって原稿Ｐ１を搬送するローラ２１，２２を設けている。また前記搬送ケース２０の中間部には、原稿Ｐ１をコンタクトガラス１５の上面に押し付けるためのローラ２３を設けている。
【００２０】
給紙部４００は、画像形成部１００に対して用紙Ｐ２の給紙を行うものであって、装置本体１の下部側には上下三段のロール状の用紙Ｐ２の装填部２４を備えており、装置本体１の前部に扉２５を前開き可能に設けて、普通紙やトレーシングペーパなどのように性状が異なる紙や、サイズが異なる紙などを、それぞれ別々に装填することができるようになっている。
【００２１】
搬送経路２６は、装填部２４から用紙Ｐ２を搬送するものであって、その搬送経路２６には、装填部２４からのロール状の用紙Ｐ２を所定サイズに切り出すためのペーパカッタ２７を設けており、かつ、合流搬送路の終端部には、所定のサイズに切り出された用紙Ｐ２を所定のタイミングで転写部１２に送り込むためのレジストローラ対２８を設けている。
【００２２】
搬送経路２９は、装填部２４の上側に配置され、所定のサイズにカットされた用紙Ｐ２をレジストローラ対２８に送り込むための手差しの搬送経路であって、その手差しの給紙口３０を装置本体１の前面に開設している。搬送経路３１は、画像形成後の用紙Ｐ２を定着ローラ対３２に案内する搬送経路であって、排紙ローラ対３３からの用紙Ｐ２の排紙口３４を装置本体１の前面に開設している。
【００２３】
なお、３５は扉２５によって用紙Ｐ２のストック部３６を形成する板状部材であって、その上部側の面部を前方への湾曲面部に形成している。３７は用紙Ｐ２の先端を板状部材３５の湾曲面部に向けて案内するガイドであって、前記扉２５の上部に設けられている。また、３８は前記排紙口３４に対時させて前後方向に揺動自在に垂下させた原稿端部の規制部材である。また、３９は小サイズの原稿Ｐ１の画像読み取りに際して適宜用いられる原稿反転ガイドであって、この原稿反転ガイド３９は装置本体１の後部上方に着脱自在に設けられている。
【００２４】
操作表示部５００は、ユーザの操作に応じて所定の指示入力を行うものであって、ユーザが印刷実行指示を入力するためのスタートキー、印刷部数等を入力するためのテンキー、各種複写動作の設定等を入力するための操作ガイド情報等を表示するとともに、種々の操作ボタン等が表示される液晶表示器（ＬＣＤ）等からなる表示器とを備えている。
【００２５】
図３は本発明の特徴となる原稿給紙台まわりを示す部分斜視図であり、同図に示すように、原稿給紙台３は厚板状であって、その後側に前記原稿挿入口７を配設している。左右１対のカーソル部材５，５はそれぞれコの字状の断面を有するスライド部５１，５１を有しており、このスライド部５１，５１が原稿給紙台３に係合して位置決め可能となっている。その係合機構６，６は、例えば原稿給紙台３の裏面に所定の間隔で形成された凹部と、この凹部に対応して前記スライド部５１，５１に形成された凸部とからなり、前記凹凸両部を係脱させるものである。原稿給紙台３上には、前記凹部に対応する間隔でもってカーソル部材５，５の位置決め用の原稿サイズマーク（指示部）４，４，・・・を設けている。
【００２６】
また、各スライド部５１の横一側には、カーソル（規制板）５２を立設しており、このカーソル５２を原稿給紙台３の前方で垂下させた垂下板５３の内側に棒状の突起部５４を突設している。したがって、この実施形態１では、垂下板５３及び突起部５４で支持部材が構成されている。そして、カーソル部材５を移動させることで、この突起部５４に原稿Ｐ１の筒状体Ｐ１１を挿入することにより、この筒状体Ｐ１１を支持するようになっているので、極めて簡単な構成となっている。
【００２７】
以下、この複写機の概略動作について図２，図３を参照して説明する。
【００２８】
かかる構成の複写機にあっては、図１の操作表示部５００でユーザが所定の指示入力を行った後、長尺の原稿Ｐ１をロール状に巻きつけた筒状体Ｐ１１の両側から支持部材の突起部５４，５４を挿入することで、その原稿Ｐ１を左右一対のカーソル部材５，５間にセットする。
【００２９】
このカーソル部材５，５間にセットした原稿Ｐ１を原稿給紙台３の所定位置に位置合わせするために、カーソル部材５，５を原稿Ｐ１のサイズに応じた原稿サイズマーク４，４，・・・に位置合わせする。その状態で、原稿Ｐ１の先端部分を繰り出すと、その先端部分の両側位置はカーソル部材５，５のカーソル５２，５２の内側に当接して規制されるようになる。
【００３０】
しかる後、原稿Ｐ１をさらに繰り出してその先端部分を原稿挿入口７から原稿給送部２００に送り込んで、原稿読取部３００の位置に原稿Ｐ１を給紙させると、その移動に伴って原稿Ｐ１の画像が原稿読取部３００によって読み取られて、感光体ドラム８の表面に原稿画像の静電潜像が形成されるとともに、その静電潜像がトナーによって顕像化される。
【００３１】
一方、原稿Ｐ１は、それが小サイズの場合は、必要に応じて設けられる原稿反転ガイド３９に沿ってケース２０側に反転し、長尺の原稿Ｐ１の場合は、原稿反転ガイド３９を取り外していることで、装置本体１の後部側に垂れ下がる。
【００３２】
この間に、所定の装填部２４から繰り出されるカットされた用紙Ｐ２、または、給紙口３０を通して給紙された手差しの用紙Ｐ２が所定のタイミングで転写部１２に給紙され、この用紙Ｐ２にトナー像が転写されるとともに、この用紙Ｐ２が定着ローラ対３２と排紙ローラ対３３とを通して排紙口３４からストック部３６に取り出される。
【００３３】
以上のように、本実施形態１によれば、カーソル部材５，５に、筒状体Ｐ１１の両側から突起部５４，５４を挿入してその筒状体Ｐ１１を支持する支持部材が一体的に形成されているので、長尺ものの原稿Ｐ１のロール中心を押さえた状態でその先端部分をカーソル５２，５２に合わせて原稿挿入口７にまっすぐに挿入することができる。このため、斜め給紙がなくなり、この原稿Ｐ１の斜め給紙による原稿Ｐ１の破損やコピー用紙Ｐ２の無駄といった問題が解消できる。また、カーソル部材５のカーソル５２と垂下板５３とが一体化されているので、それらが個別に装置本体１に設けられている場合よりも利便性に優れる。
【００３４】
ところで、上記実施形態１では、カーソル部材５，５を位置合わせする際に、原稿Ｐ１をセットすることになるが、一旦カーソル部材５，５を位置合わせした後で、同一サイズの原稿Ｐ１をセットしたいことがある。その場合には、カーソル部材５，５を移動させることなく原稿Ｐ１のセットだけを行えればさらに便利である。実施形態２，３は、かかる点に着目したもので、以下説明する。
【００３５】
（実施形態２）
図４は本発明の実施形態２に係る複写機におけるカーソル部材と支持部材とを示す斜視図、図５はその詳細図であって、（ａ）は組み立て状態を示す斜視図、（ｂ）は分解斜視図である。
【００３６】
この実施形態２では、図４に示すように、支持部材の垂下板５３，５３の上部５３ａ，５３ａに対してその下部５３ｂ，５３ｂがそれぞれ外側にスイング可能に取り付けられている。ここでは、図５（ｂ）に示すように、垂下板５３の上部５３ａと下部５３ｂとは別部材で形成されるが、この上部５３ａの下端５２４の前半分には前後方向に貫通する貫通孔５２５が設けられている。この上部５３ａの下端５２４の後半分は高さ方向に凹ませた部位５２３と、さらに厚さ方向に凹ませた部位５２１とを設けている。この部位５２１の下端中央には、所定の切欠き５２２が形成されている。
【００３７】
一方、下部５３ｂの上端５３６には、前記上部５３ａの下端５２４の各部位５２３，５２１，５２２に対応した形状の部位５３４，５３１，５３２，５３３が設けられている。すなわち、その前半分には、下端５２４に対応する上端５３６が形成され、後半分には、下端５２３に対応する上端５３４が形成されるとともに、下端５２１に対応する凹凸状の上端５３１，５３２，５３３に形成されている。この上端５３４には前後方向に貫通する貫通孔５３５が設けられている。
【００３８】
そして、上端５３４の貫通孔５３５に、棒状部材５５を挿入して、この棒状部材５５に捻りバネ５６の中心部を挿通させた状態で、その棒状部材５５を前記下端５２４の貫通孔５２５に挿入する。なお、棒状部材５５は、抜け止めのために上端５３４に対してＥリング等で係止されるように構成されている。
【００３９】
この挿入が完了すると、図５（ａ）に示すように、上部５３ａと下部５３ｂとが組み立てられて一体構造となる。このときには、捻りバネ５６の上端が部位５２２に係止されるとともに、その下端が部位５３３に係止されることとなり、この状態では捻りバネ５６の弾性復帰力で下部５３ｂは棒状部材５５を中心に回転して上部５３ａに対し内側に向かおうとする。しかし、このときには部位５３１が部位５２１に当接しているから、前記回転が規制され、下部５３ｂは上部５３ａに対して平行な状態を維持することとなる。
【００４０】
そして、原稿Ｐ１をセットする際には、図４の一点鎖線で示すように、ユーザが下部５３ｂ，５３ｂをそれぞれ外側にスイングさせると、その下部５３ｂ，５３ｂに取り付けられた突起部５４，５４がともに外側にスイングするので、カーソル部材５，５を移動させることなく、原稿Ｐ１を容易にセットすることができる。原稿Ｐ１のセット後は、下部５３ｂ，５３ｂを離すだけで図４の実線で示すもとの状態に復帰するので、その状態では、原稿Ｐ１の筒状体Ｐ１１に突起部５４，５４が挿入され、その筒状体Ｐ１１に巻きつけられた原稿Ｐ１は原稿給紙台３上で給紙可能に保持されることになる。原稿Ｐ１を取り外す際も同様である。
【００４１】
（実施形態３）
図６は本発明の実施形態３に係る複写機における支持部材の動作を示す断面図である。
【００４２】
この実施形態３では、支持部材の垂下板５３に、突起部５４ａが出没可能に取り付けられている。この場合もロール状の原稿Ｐ１を容易にセットできる。ここでは、図６（ａ）に示すように、支持部材の垂下板５３と突起部５４ａとは別部材ではあるが、その組み立て後には一体構造となる。この垂下板５３の下端外側にはカバー部材５４０が設けられている。
【００４３】
このカバー部材５４０と垂下板５３とを突起部５４ａが出没自在に挿通しており、カバー部材５４０と垂下板５３とで囲まれる空間内において、突起部５４ａの中間部にはワッシャ５４２が固定されている。そのワッシャ５４２とカバー部材５４０との間にコイルスプリング５４３が介装されており、また、カバー部材５４０の外側に突出した突起部５４ａの先端には把持部５４１が形成されている。
【００４４】
そして、原稿Ｐ１をセットする際には、図６（ｂ）に示すように、ユーザが把持部５４１を外側に引っ張ると、その突起部５４ａがコイルスプリング５４３の弾性復帰力に抗して垂下板５３から外側に向かって引っ張り出されるので、カーソル部材５を移動させることなく、原稿Ｐ１を容易にセットすることができる。原稿Ｐ１のセット後は、把持部５４１を離すだけで図６（ａ）の状態に復帰するので、その状態では、原稿Ｐ１の筒状体Ｐ１１に突起部５４ａが挿入され、その筒状体Ｐ１１に巻きつけられた原稿Ｐ１は原稿給紙台３上で給紙可能に保持されることになる。原稿Ｐ１を取り外す際も同様である。
【００４５】
なお、上記実施形態１では、カーソル部材５，５が原稿給紙台３に係合機構６，６で係合されて位置決めが可能となるようになっているが、この係合機構６，６の代わりに、原稿給紙台３を鉄板として、カーソル部材５，５がこの原稿給紙台３に任意位置で吸着可能な磁石を備えたものであってもよい。
【００４６】
また、上記実施形態１では、左右のカーソル部材５，５はそれぞれ別個に移動させるが、両カーソル部材５，５は、例えばラックとピニオンとによる連動機構で連動させるようにしてもよい。その場合には、原稿給紙台３上でのセンタ合わせが容易となる。
【００４７】
また、上記実施形態１〜３では、いずれも複写機について説明したが、その他の画像形成装置（プリンタ等）に本発明を適用できることはもちろんである。
【図面の簡単な説明】
【００４８】
【図１】本発明の実施形態１に係る複写機の外観構成を示す斜視図である。
【図２】図１の複写機の内部構成を主に示す模式図である。
【図３】本発明の特徴となる原稿給紙台まわりを示す部分斜視図である。
【図４】本発明の実施形態２に係る複写機におけるカーソル部材と支持部材とを示す斜視図である。
【図５】図４の詳細図であって、（ａ）は組み立て状態を示す斜視図、（ｂ）は分解斜視図である。
【図６】本発明の実施形態３に係る複写機における支持部材の動作を示す断面図である。
【符号の説明】
【００４９】
１  装置本体
３  原稿給紙台
４  原稿サイズマーク（指示部）
５  カーソル部材
５２  カーソル（規制板）
５３  垂下板（支持部材）
５３ａ  垂下板の上部（支持部材）
５３ｂ  垂下板の下部（支持部材）
５４，５４ａ  突起部（支持部材）
６  係止機構
７  原稿挿入口
１００  画像形成部
２００  原稿給紙部
３００  原稿読取部
４００  給紙部
Ｐ１  原稿
Ｐ１１  筒状体
Ｐ２  用紙（記録紙）
【図１】
2007091414.tif 000003
【図２】
2007091414.tif 000004
【図３】
2007091414.tif 000005
【図４】
2007091414.tif 000006
【図５】
2007091414.tif 000007
【図６】
2007091414.tif 000008